(57)【要約】【課題】海水を汚さずに集魚効果が得られ、１本のルアーで多用な利用が可能となる新規なルアーを提供する。【解決手段】ウェイトに連続する透明中空胴体を有してなるルアーにおいて、柔軟性を有する道糸接続部をウェイトに取り付け、胴体のウェイトに近接する一方の側面に通水孔を穿設し、該通水孔に挿入保持可能なるピンを設けるとともに、ピンと道糸接続部間を接続糸にて接続し、胴体後部端に排出孔を穿設したことを特徴とする。【選択図】      図１
2004222707.tif 000002
【特許請求の範囲】
【請求項１】
ウェイトに連続する透明中空胴体を有してなるルアーにおいて、柔軟性を有する道糸接続部をウェイトに取り付け、胴体のウェイトに近接する一方の側面に通水孔を穿設し、該通水孔に挿入保持可能なるピンを設けるとともに、ピンと道糸接続部間を接続糸にて接続し、胴体後部端に排出孔を穿設したことを特徴とする充填型ルアー。
【請求項２】
中空胴体内に透明管体を位置させ、該管体に連通する挿入孔を胴体後部に設けてなる請求項１記載の充填型ルアー。
【発明の詳細な説明】
【０００１】
【発明の属する技術分野】
この発明は、ルアーに空洞部を設け、この空洞部内に物質や物品を収納できるようにした新規なルアーに関する。
【０００２】
【従来の技術】
従来より、船釣り等でルアーが多用されているが、本発明にて示すように、その内部に物質や物品を収納するタイプのルアーは現在のところ見当たらない。
【０００３】
【発明が解決しようとする課題】
ルアーは疑似餌のことで、おもに小魚を捕食する大型魚を対象としており、単なる金属片であるスプーン、ジグ、水中で回転する羽根を持つスピンナー、プラスチック・バルサ材などで小魚の姿を模したプラグ、ミミズなどの環形動物の姿を模したワームなどがあり、百種類以上が商品として出回っている。
いずれも、獲物を誘うために水中で様々な動きを与えてやるというのが不可欠の条件である。ルアーは魚を誘いやすくするために、その形状や模様、色彩などに変化を持たせて、魚種によって使い分けている。
従って、多種の魚を釣ろうとすればそれぞれの魚に適したルアーを用いることとなり、多数のルアーを用意しなければならない。また、より多くの魚を誘うためにコマセ（冷凍オキアミや魚粉を練り混ぜたもの）を用いるが、その大量使用による漁場の汚染や赤潮など深刻な事態が懸念される。
本発明は、以上のような従来からのルアー釣りに関わる課題を解決するために発明されたもので、空洞化したルアー内に必要とする物質や物品を収納することにより、より一層の集魚効果が得られるとともに、多様な使用が可能なるルアーを提供することを目的として開発されたものである。
【０００４】
【課題を解決するための手段】
課題を解決する手段として本発明は、ルアー内を空洞化し、その空洞に集魚に効果ある物質を充填し、空洞適所に細孔を設け、ルアー操作中に細孔より充填物質が排出拡散するよう設けてその主要部を構成した。
すなわち、ウェイトに連続する透明中空胴体を有してなるルアーにおいて、柔軟性を有する道糸接続部をウェイトに取り付け、胴体のウェイトに近接する一方の側面に通水孔を穿設し、該通水孔に挿入保持可能なるピンを設けるとともに、ピンと道糸接続部間を接続糸にて接続し、胴体後部端に排出孔を穿設する。
本発明は以上の構成よりなる充填型ルアーである。
【０００５】
【実施例】
以下、本発明の実施例について説明する。
図において、１は鉛製のウェイトで、その先端に傾斜を有する断面三角形状体である。また、段部を経て右方に小三角形状の突出部２を有しており、この突出部からさらに右方に小円柱形状の嵌合部３が突設されている。
４は胴体で、合成樹脂製の透明板材をウェイト側面に沿って断面三角形状に貼り合わせて形成される。このとき、突出部に沿って透明板材を取り付けることにより、作業が楽になる。この胴体底面は右方に向かうにつれて湾曲し、胴体後部は同材質の合成樹脂にて密封される。
５は収納管で、透明合成樹脂製管体であり、その左端は前記嵌合部に嵌合固着され、右端は胴体右端位置に達して接着固定される。また、胴体右端上部には貫通細孔よりなる排出孔６が、胴体右端下部には収納管に連通する挿入孔７が各々穿設される。８は道糸接続部で、柔軟性を有する合成樹脂にて形成される。この道糸接続部はウェイト上部に穿設される貫通孔内に合成樹脂糸を通して立ち上げ、上端をループ状に形成したものである。
９はピンで、柔軟性を有する合成樹脂にてテーパを有する小細棒形状に設けられ、このピン端部近傍に適宜長の接続糸１０が巻回固定され、糸の他端はループ状として道糸接続部上端のループ部にスライド可能に取り付けられる。
また、胴体側面の一方には小細孔よりなる通水孔１１が穿設され、この通水孔内にピンが挿入保持される。１２はフック連結部で、前記の道糸接続部と同様方式にて胴体後部に取り付けられる。すなわち、胴体後部側面に貫通孔を穿設し、この貫通孔を貫通する合成樹脂チューブを設け、このチューブ内に合成樹脂糸を通して右方へ突出させ、この突出端に小径のゴムチューブを接続固定し、チューブ右端に金属製の小環体を取り付けたものである。
１３は突出部と胴体の固定を確実にするための金属製の固定ピン、１４は挿入孔に適度の嵌合状態にて挿入保持されるゴムチューブ製のストッパーである。
【０００６】
本例を使用するには、まず胴体内に集魚物質を充填する。
この集魚物質は、アミノ酸やイノシン酸などの核酸関連物質を水に溶かしたものをスポイトなどを用いて胴体後部の排出孔より注入する。このとき、通水孔のピンは外しておき、注入後にピンを通水孔に差し込み保持させる。
そして、道糸接続部上端に道糸を接続し、フック連結部にフック関連部材を取り付ける。このフック関連部材は、適当長の釣り糸にフック（釣り針）を取り付け、このフックから釣り糸を介してやや後方に別のフックを取り付けたものであり、最初のフックは餌魚の頭部に差し込み、次のフックは餌魚の腹部に差し込む。
なお、最初のフックは使用中の魚のねじれなどで頭部が取れ易いため、ラッパ型のビニールキャップを設けて、図６に示すように餌魚頭部にかぶせる。
そして図６のように各部を配備して準備が完了する。
使用時はルアーを海水中に投入し、ルアーに上下の揺動を与える。すると図５に示すようにルアーは斜方に傾くが、ルアー重量により道糸および道糸接続部は鉛直の状態を保つため、ピンは通水孔より外れて海水は胴体に侵入し、胴体後部の排出孔より集魚剤が徐々に排出され、ルアー近傍の海中に拡散する。
すると、ルアー近傍の魚はこの集魚剤におびき寄せられ、餌魚に食いつくこととなる。
【０００７】
従来はコマセを用いているので、必要以上に集魚剤が海水中に拡散して既述のような恐れがあったが、本例では細孔より徐々に排出するので海水の汚染防止に効果的である。
なお、図示のように胴体内に透明環体を設けることにより、この環体内に発光体（中空小管体内に化学物質を充填し、この環体を折り曲げて化学反応により一定時間発光させるもの）を挿入すれば、ルアー胴体を発光させることができ、夜間使用時など従来品のような反射光利用方式に比べて魚へのアピール力を高めることができる。なお、この場合、発光体挿入後にストッパーを差し込み、使用中の発光体の離脱を防ぐことが肝要である。
本例で使用する集魚剤は無色透明でもよいが、事前に着色した集魚剤を用いて胴体をカラフルにして用いることもでき、また発光方式と併用も可能である。
本発明は以上のように、種々の色にして用いることができるので、１本のルアーで多様な利用が可能となり、釣果アップに役立つ新規なルアーを得ることができる。
【０００８】
【発明の効果】
本発明によれば、ルアーに充填した集魚物質をルアー後方に排出拡散させることができるので、このような機能を有しない従来型ルアーに比べてより大きな集魚効果が得られ、より一層の釣果を期待できる有用なるルアーを得ることができる。なお、発光体を併用することで夜間の釣りにも役立つルアーを提供しうるものである。
【図面の簡単な説明】
【図１】本発明の正面図（ピン挿入時）
【図２】本発明の拡大左側面図
【図３】本発明の拡大右側面図（付属部品省略）
【図４】Ａ−Ａ拡大断面図（付属部品省略）
【図５】本発明の使用状態説明図（ピン離脱時）
【図６】本発明の使用状態説明図
【符号の説明】
１  ウェイト
２  突出部
３  嵌合部
４  胴体
５  収納管
６  排出孔
７  挿入孔
８  道糸接続部
９  ピン
１０  接続糸
１１  通水孔
１２  フック連結部
１３  固体ピン
１４  ストッパー
１５  道糸
１６  ビニールキャップ
１７  餌魚
１８  発光体
【図１】
2004222707.tif 000003
【図２】
2004222707.tif 000004
【図３】
2004222707.tif 000005
【図４】
2004222707.tif 000006
【図５】
2004222707.tif 000007
【図６】
2004222707.tif 000008